(57)【要約】【課題】移動扉によって戸口の開閉を行う扉装置でありながら、戸口を閉じる移動扉の表面が周囲の壁面と同一面となるように形成できる扉装置を提供すること。また、当該扉装置において、戸口の開閉操作を容易に行うことができる構造を提供すること。【解決手段】  スライド式の移動扉によって戸口を開閉する扉装置であって、移動扉が閉じる時には横方向の移動とともに後方から戸口の前面部分に移動し、移動扉が開く時には横方向の移動とともに戸口の前面部分から後方に下がった位置まで移動するように構成したことを特徴とする。また、移動扉が閉じる時には横方向の移動とともに回動を伴いながら後方から戸口の前面部分に移動し、移動扉が開く時には横方向の移動とともに回動を伴いながら戸口の前面部分から後方に下がった位置まで移動するように構成したことを特徴とする。【選択図】図１
2014227670.tif 000002
【特許請求の範囲】
【請求項１】
底部に設けたキャスターによって移動可能に支持された移動扉と、当該移動扉の上部に配置したガイドレールと、当該ガイドレールに案内される第１の被案内手段および第２の被案内手段を有し、
前記移動扉は、前記ガイドレールに案内される前記第１の被案内手段に対して回動可能に取り付けられるとともに、前記ガイドレールに案内される前記第２の移動体に一端を回動可能に取り付けたリンクアームの他端に回動可能に取り付けられており、
前記ガイドレールは、前記移動扉が閉じる位置に前記第１の被案内手段および第２の被案内手段を誘導する直線状の第１の軌道部と、前記移動扉が開いた位置に前記第１の被案内手段および第２の被案内手段を誘導する直線状の第２の軌道部と、当該第１の軌道部および第２の軌道部を連結する中間軌道部を有し、
前記中間軌道部は移動扉の背面方向に向かって前記第１の軌道部の末端から略直交若しくは傾斜した配置で設けられていることを特徴とする扉装置。
【請求項２】
前記キャスターは、移動方向に応じて自動的に車輪の向きが追従するように形成されていることを特徴とする請求項１記載の扉装置。
【請求項３】
ガイドレールによって案内されるスライド式の移動扉によって戸口を開閉する扉装置であって、
移動扉が閉じる時には、前記ガイドレールによる案内によって横方向の移動とともに後方から戸口の前面部分に移動し、
移動扉が開く時には、前記ガイドレールによる案内によって横方向の移動とともに戸口の前面部分から後方に下がった位置まで移動するように構成したことを特徴とする扉装置。
【請求項４】
移動扉が閉じる時には横方向の移動とともに回動を伴いながら後方から戸口の前面部分に移動し、
移動扉が開く時には横方向の移動とともに回動を伴いながら戸口の前面部分から後方に下がった位置まで移動するように構成したことを特徴とする請求項３記載の扉装置。  
【発明の詳細な説明】
【技術分野】
【０００１】
本発明は、扉装置に関するものである。
【背景技術】
【０００２】
多くの工事現場では、安全上の配慮から仮設の塀によって作業区画を囲うことが行われるが、このような仮設の塀には作業区画内に出入りするための扉が設けられる。扉には各種の形態があるが、多く用いられるのはヒンジによって回動するように形成されたドアや、特許文献１記載の間仕切りパネルに設けた引き戸等である。
【先行技術文献】
【特許文献】
【０００３】
【特許文献１】特開２００５−３３０７８６号公報
【発明の概要】
【発明が解決しようとする課題】
【０００４】
ヒンジ式のドアは、構造は簡単であるが扉が回動するためスペースを広く必要とする。このため、状況によってはこのようなドアを設置できない場合もある。また、間口の広い戸口に使用すると扉の幅を長くしなければならず、ドアの自重によって先端が下方に下がって傾いてしまうので支線によって先端を持ち上げる必要が生じる。
また、一般的に用いられる直線的な移動を行う引き戸では、移動する扉は周囲の壁面から下がった位置（奥まった位置）に配置される。これは、扉が移動するには移動先に収容空間が必要であり、周囲の壁面と同一面となるように扉を横並びに配置すると、移動先が壁となり収容空間が確保できないからである。
【０００５】
上記のような従来のスライド式の移動扉を用いた引き戸の場合、移動する扉は周囲の壁面に対して扉１枚分ほど奥まった位置に配置されることになる。また、近年周囲の景観を損なわないように、壁面にイラスト等を描くことも行われる。しかしながら、周囲の壁面と移動扉の間に段差があると、壁面に描いたイラストの見栄えも不十分なものとなる。
本願発明は当該事情に鑑み発明したものであって、移動扉によって戸口の開閉を行う扉装置でありながら、戸口を閉じる移動扉の表面が周囲の壁面と同一面となるように形成できる扉装置を提供することを課題とするものである。また、当該扉装置において、戸口の開閉操作を容易に行うことができる構造を提供することを課題とするものである。
【課題を解決するための手段】
【０００６】
上記課題を解決するために、本発明は以下の構成を備えることを特徴とする。すなわち、
底部に設けたキャスターによって移動可能に支持された移動扉と、当該移動扉の上部に配置したガイドレールと、当該ガイドレールに案内される第１の被案内手段および第２の被案内手段を有し、
前記移動扉は、前記ガイドレールに案内される前記第１の被案内手段に対して回動可能に取り付けられるとともに、前記ガイドレールに案内される前記第２の移動体に一端を回動可能に取り付けたリンクアームの他端に回動可能に取り付けられており、
前記ガイドレールは、前記移動扉が閉じる位置に前記第１の被案内手段および第２の被案内手段を誘導する直線状の第１の軌道部と、前記移動扉が開いた位置に前記第１の被案内手段および第２の被案内手段を誘導する直線状の第２の軌道部と、当該第１の軌道部および第２の軌道部を連結する中間軌道部を有し、
前記中間軌道部は移動扉の背面方向に向かって前記第１の軌道部の末端から略直交若しくは傾斜した配置で設けられていることを特徴とする。
当該扉装置は、移動扉を第１の被案内手段を中心として、第２の被案内手段が有するリンクアームによって限定された範囲で回動させるようになっている。そして、開方向側の表面を押して回動させることで移動扉の横移動を許容し（移動可能となり）、閉方向側の表面を押して回動させることで移動扉の横移動を制限して扉の閉塞を完了させることができるようになっている。
【０００７】
また、前記キャスターは移動方向に応じて自動的に車輪の向きが追従するように形成されている。これにより、移動扉の横移動および回動を円滑に行えるようになっている。
【０００８】
また、本発明は上記課題を解決するために、下の構成を備えることを特徴とする。すなわち、
ガイドレールによって案内されるスライド式の移動扉によって戸口を開閉する扉装置であって、移動扉が閉じる時には、前記ガイドレールによる案内によって横方向の移動とともに後方から戸口の前面部分に移動し、移動扉が開く時には、前記ガイドレールによる案内によって横方向の移動とともに戸口の前面部分から後方に下がった位置まで移動するように構成したことを特徴とする。
当該構成により、移動扉の移動によって戸口の開閉を行う扉装置でありながら、閉じた状態の時には移動扉の表面位置が周囲の壁面と同一となるような扉装置を提供できるものとなっている。
【０００９】
また、本発明は下の構成を備えることを特徴とする。すなわち、
スライド式の移動扉によって戸口を開閉する引き戸装置であって、
移動扉が閉じる時には横方向の移動とともに回動を伴いながら後方から戸口の前面部分に移動し、
移動扉が開く時には横方向の移動とともに回動を伴いながら戸口の前面部分から後方に下がった位置まで移動するように構成したことを特徴とする。  
これにより当該扉装置は、開方向側の表面を押して回動させることで移動扉の横移動を許容し（移動可能となり）、閉方向側の表面を押して回動させることで移動扉の横移動を制限して扉の閉塞を完了させることができるようになっている。
【発明の効果】
【００１０】
本願発明にかかる扉装置は、移動扉の移動によって戸口の開閉を行う扉装置でありながら、閉じた状態の時には移動扉の表面位置が周囲の壁面と同一となるような扉装置を提供できるという効果を有する。
また、戸口を閉じた位置における移動扉の回動によって、横移動の許容や横移動の制限をすることができるという効果を有している。
【図面の簡単な説明】
【００１１】
【図１】扉装置を用いた仮設壁の一部を表した斜視図である。
【図２】第１の被案内手段および第２の被案内手段の説明図である。
【図３】ガイドレールを中心にした仮設壁の説明図である。
【図４】移動扉の動作説明図である。
【発明を実施するための形態】
【００１２】
以下、発明を実施するための形態について説明する。
図１は本発明に係る扉装置を用いた仮設壁Ｗの一部を表したものであり、図１（ａ）は当該仮設壁Ｗの一部を正面左上部から見た斜視図であり、図１（ｂ）は当該仮設壁Ｗの一部を裏面左下部から見た斜視図である。
当該仮設璧Ｗは、屋外の工事現場を取り囲んだり、屋内の空間を仕切る場合などに用いるものである。図１は、そのように設けられた仮設璧の一部として開閉する扉の部分を表したものである。本発明は、このような仮設壁に使用する引き戸装置１に関するものであり、開口となる戸口２に設けた移動扉３、４を主として仮設璧Ｗの壁面に沿った左右方向に移動させることにより当該戸口２を開閉するように構成したものである。
【００１３】
仮設璧Ｗは、設置後には移動や変形を行わない定型パネルＷ１や可変長パネルＷ２を組み合わせて形成した固定璧と、当該固定璧の一部に配置する前記戸口２を構成するフレームＦおよび移動扉３、４からなる引き戸装置１によって構成されるものである。可変長パネルＷ２は、壁の高さを調節するなど設置場所に応じて出没量を調整できるように構成した壁である。各定型パネルＷ１や可変長パネルＷ２および移動扉３、４は、鉄鋼材もしくはアルミニウム合金等によって矩形状に形成したフレームの表面若しくは表裏両面にガルバリウム鋼板などの耐食性の高い金属板を取り付けた板状体として形成されているものである。本実施の形態に用いているパネルや移動扉の厚みはおおよそ40mm程度であり、定型パネルＷ１の大きさは高さが2000mm〜2100mm程度、幅が900mm程度の大きさに形成されている。また、仮設璧Ｗは、前記各種のパネル類を配列するための骨格となるフレームＦを有しており、当該フレームＦに前記各種のパネル類が規則的に配置されるようになっている。
【００１４】
本実施の形態に係る引き戸装置１は、前述の通り戸口２に配置された左右方向に移動する２枚の移動扉３、４を有している。当該移動扉３、４は、中央付近で接合した場合には戸口２を閉じ、左右に移動することで戸口２を開くものである。なお、本実施の形態では、戸口２の左右方向においてそれぞれ移動する２枚の移動扉３、４を設けているが、移動する扉を１枚のみにした片開きの引き戸として構成しても差し支えのないものである。
図１（ａ）の正面側から見て左の移動扉３および右の移動扉４は左右対称の形状となるように形成されている。したがって、一方の扉が備えている構造や各手段は、配置や動作方向等が異なるだけであって、実質的に同一の構造をなしている。以下、移動扉３の構造を説明するが、特に断りのある場合を除き移動扉４も同一の構成を備えるものであるから、共通する事項についての説明は省略する。
【００１５】
移動扉３は正面視において矩形の板状体として形成されている。移動扉３の主要部分を成す板状部分は、矩形状に組まれた骨格フレームの表面若しくは表裏両面に前述したガルバリウム鋼板などの耐食性の高い金属板を取り付けることで剛性の高い一枚の扉板として形成されたものである。
移動扉３を構成する板状部分の下端には、扉の全幅に亘って、裏面側に向かって水平に突出したフランジ板状の可動台５が設けられている。当該可動台５の幅は約１０cm程度であり、底面に２個のキャスター６が移動扉２の幅方向に沿って取り付けられているものである。当該キャスター６は、耐荷重の高い車輪を有し、誘導される方向に応じて車輪の転動方向が自動的に調節される機能を有したものである。移動扉３の荷重は、上記可動台５を介してキャスター６によって支えられるようになっている。
なお、図１（ｂ）に示した移動扉３下部の構造は、キャスター６を配置した可動台５の部分Ｃ２および当該部分の拡大図Ｃ２’を含め、簡略化して表している。実際には、可動台５の機能が十分に発揮されるような強度を有するように形成されている。
【００１６】
前述の可動台５は移動扉３の下端から突出させた板状体として形成したものであるが、キャスターの車輪が底部分から表出するように形成した箱状に形成したものでもよい。可動台５は、第一に要求される機能として移動扉３を移動可能に支える機能を有していればよい。
なお、前述の板状に形態したもの５を含め、可動台５にはキャスター６の周囲を覆うように張り出していること若しくは前記箱状に形成して側面を覆っていることが望ましい。キャスター６は、重量のある移動扉３を支える必要があることと、多少凹凸のある荒れた床面であっても転動できるようにすることを考慮して、車輪の直径を人間の足先の高さを超える大きさに形成している。また、荒い取り扱いがなされた場合であっても円滑な移動を実現することを考慮して、比較的直径の大きな車輪を採用することも想定される。このようなことから、移動扉３の移動時に操作者の足先にキャスター６が接触したり乗り上げたりすることを防止するため、上記構造を採用することが望ましいものである。
【００１７】
キャスター６は、移動扉３の移動方向に応じて車輪７の向きを変えることができるようになっている。移動扉３は、幅方向に対する直線的な移動の他に、幅方向に対して直交する方向への移動を伴う複合的な経路で移動を行うものである。キャスター６は、移動扉３のこのような移動が円滑に行うことができるよう、車輪の向きが移動方向に対して追従できるようになっている。
また、可動台５を設けた移動扉３の下部には、板状のカバー８が設けられている。当該カバー８は、鋼板等の金属板によって形成する他、プラスチック、ビニールやゴムといった樹脂素材によって形成してもよい。カバー８は、移動扉３の下部に生じる開口を塞ぐことで、ホコリの侵入を防止し、寒気や暖気の侵入を防止するようになっている。
【００１８】
図１（ａ）および当該図中の扉上部Ｃ１および当該部位の拡大図Ｃ１’に示した移動扉３の上面には、被案内手段が２カ所に設けられている。各被案内手段は戸口２の上部に設けたガイドレール１０が有する案内路１１に誘導され、当該案内路１１によって規定される誘導径路に沿って、移動扉３を移動させることができるようになっている。
本実施の形態に用いるガイドレール１０は、角形鋼管状の鋼材の下面に一定幅の溝状の案内口１２を有し、鋼管内の底璧を案内路１１として前記被案内手段が備えるローラーを支持し誘導するように構成したものである。
【００１９】
前記ガイドレール１０に誘導される被案内手段の一つは、移動扉３上面の略中央に設けられている。当該移動扉３上面の略中央に設けた被案内手段（第１の被案内手段）１５は、図２（ａ）に示すように２個一対のローラー１６と当該ローラー１６を回転自在に支持する軸部１７、当該軸部と回転可能に結合された基部１８によって構成されている。基部１８は移動扉３との結合部を構成している。軸部１７と基部１８は回動可能に結合されており、前記ローラー１６の転動方向と直交する垂直方向を軸として移動扉３を回動可能に保持する作用を有している。
【００２０】
前記ガイドレール１０に誘導される他方の被案内手段は、移動扉３上面の略中央よりも扉が開く方向側に偏った位置に設けられている。
当該移動扉３上面の略中央よりも端部側に偏った位置に設けた被案内手段（第２の被案内手段）２０は、図２（ｂ）に示すように２個一対のローラー２１と当該ローラー２１を回転自在に支持する軸部２２、当該軸部２２と回転可能に結合された基部２３によって構成されている。基部２３の下端には強度のあるリンクアーム２４の一端２５が固定されており、当該リンクアーム２４の他端２６は移動扉３の上面対して取付具２７によって回動可能に取り付けられている。
当該リンクアーム２４は、細長く形成された平板状の金属体であり、ガイドレール１０に案内されて移動する前記第２の被案内手段２０を中心に他端２６を旋回させることが可能になっている。移動扉３は、第１の被案内手段１５の基部１８を中心として、第２の被案内手段２０のリンクアーム２４が有する他端２６の旋回範囲内で揺動可能となっている。
【００２１】
移動扉３は、前述の構造によって角形鋼管状の前記ガイドレール１０が有する軌道の形状に応じて案内されるようになっている。本実施の形態に係るガイドレール１０は、移動扉３が閉じた状態の時に当該移動扉３を配置する第１の軌道部３０と、移動扉３が開いた状態の時に当該移動扉３を配置する第２の軌道部３１と、これら第１の軌道部および第２の軌道部を連結する中間軌道部３２を有している。
図３は仮設壁Ｗの一部を表したものであり、当該仮設壁Ｗの一部を背面上部から見た斜視図である。図３を見て分かるように、ガイドレール１０の前記第１の軌道部３０は直線状を成し、第２の軌道部３１は前記第１の軌道部３０を背面側に水平にシフトさせた位置の延長線上に沿った直線状の軌道である。すなわち、第１の軌道部３０と第２の軌道部３１は、ともに直線状の軌道であって平行を成すように設けられている。そして、第１の軌道部３０と第２の軌道部３１を接続する中間軌道部３２が斜め後方に傾斜して設けられている。
【００２２】
第１の軌道部３０、第２の軌道部３１および中間軌道部３２の各軌道部は、各接合部で分断されることなく、前記第１の被案内手段１５および第２の被案内手段２０の軌道となる連続した前記案内路１１および案内口１２を形成する。
図３に表したＣ３’部分は、図３に表したＣ３部分を透過して表した説明図であり、角形鋼管内の空間によって形成された案内路１１と、当該案内路１１内に収容される第２の被案内手段２０を表している。同様に、第１の被案内手段１５も当該案内路１１内に案内されるものとなっている。
【００２３】
図４は、ガイドレール１０によって誘導される移動扉３を説明する平面視の説明図であり、ガイドレール１０が有する案内口１２を波線によって表している。図４に示した各図は、当該案内口１２に誘導される前記第１の被案内手段１５および第２の被案内手段２０と、両案内手段１５、２０と全閉から全開までの移動扉３との関係を表している。図４（ａ）は移動扉３が閉じた状態を表し、以下図４（ｅ）に亘って移動扉３が全開するまでの状態を順を追って示している。
図４（ａ）は、移動扉３が閉じた位置にある状態を表している。この際、第１の被案内手段１５および第２の被案内手段２０は、戸口２の開口上部に設けられている第１の軌道部３０上に配置されている。
【００２４】
第１の軌道部３０は直線状であり、固定壁である定型パネルＷ１と同一面内に設けられており、第１の軌道部３０に第１の被案内手段１５と第２の被案内手段２０を配置することによって、移動扉３を隣り合う他の定型パネルＷ１と同一面上に配置することができるようになっている。なお、図示していないが、中央の所定位置よりも移動扉３が右側に移動しないよう、第１の被案内手段１５の移動を制限するストッパーが設けられている。
上記を閉じた移動扉３を開けるには、第一の操作として第１の被案内手段１５よりも開く方向側にある扉の表面を後方側に押す。すなわち、図４（ｂ）に示すように、左側に開く移動扉３の左側の前面部（取手３３若しくは取手３３付近）を矢示（Open）側に扉を押す。このように移動扉３の左側を押すと、移動扉３は第１の被案内手段１５を中心に回動する。
【００２５】
移動扉３の左側端縁には、戸口２の左側の戸枠部に設けた受け部３５と係合可能な当たり部３６が設けられている。移動扉３は、第１の被案内手段１５を中心として回動可能であるため、移動扉３が正常に閉じている状態で図４（ｂ）に示した移動扉３の右側の前面部（取手３４若しくは取手３４付近）を矢示（Close）側に扉を押すと、定型パネルＷ１を超えて移動扉３の左側が手前側に飛び出す可能性がある。本実施の形態においては、戸枠部に設けた受け部３５に移動扉３の側縁に当たり部３６を設け、移動扉３が閉じた位置を超えて回動することがないように規制している。
【００２６】
前記図４（ｂ）の状態のように、当たり部３６を受け部３５から遠ざかる方向に移動扉３を回動させると、第１の被案内手段１５の位置はそのままに、第２の被案内手段２０に設けたリンクアーム２４が回動して、中間軌道部３２の案内口１２を超えた後方位置にまで移動扉３の端部（取付具２７）が張り出した状態になる。これにより、移動扉３の開方向への移動が可能になる。
この移動扉３の回動によって、当たり部３６と受け部３５の当接を解除すると、第２の被案内手段２０が後方斜め方向に向かう中間軌道部３２が有する案内口１２に誘導されて後方側に移動可能となり、この移動扉３の移動に伴って第１の被案内手段１５も第１の軌道部３０が有する案内口１２に誘導されて移動可能になる。
この際、移動扉３の荷重を支えているキャスター６の車輪７が移動扉３の回動に併せて追従する。このため、キャスター６は移動扉３の回動を邪魔しないようになっている。
【００２７】
図４（ｃ）は、前記矢示（Open）方向に回動させた後に移動を続け、リンクアーム２４を設けた第２の被案内手段２０が中間軌道部３２から第２の軌道部３１に移る状態を表している。この際、移動扉３の右側は矢示したＰ（左側）方向に押されることになり、移動扉３には左側方向へ向かう力と第１の被案内手段１５を中心とした時計回り方向への回転力が作用する。これにより、移動扉３が中間軌道部３２の案内口１２に案内されている間は、第２の被案内手段のリンクアーム２４によって移動扉３の左端部分は案内口１２によって定められる軌道よりも外側を通るように移動する。
【００２８】
移動扉３が前述した中間軌道部３２の案内口１２に案内される際に、移動扉３の左端部分は案内口１２によって定められる軌道よりも内側を通ると、移動扉３の表面と戸枠の受け部３５が近接する。ガイドレール１０には、移動扉３と戸枠が接することのないようリンクアーム２４が手前側に回動しないようにする制限手段を設けているが（図示せず）、通常の使用時においてはこのような制限手段に頼らず、移動扉３と戸枠を接触させることなく移動させることができるようになっている。
【００２９】
図４（ｄ）は、図４（ｃ）よりもさらに移動扉３が移動し、第１の被案内手段１５が中間軌道部３２から第２の軌道部３１に移る状態を表している。この場合にも、第２の被案内手段のリンクアーム２４によって移動扉３の左端部分は案内口１２によって定められる軌道よりも外側を通過していることが分かる。
【００３０】
図４（ｅ）は、移動扉３が完全に開いた状態を表している。この状態では、第１の被案内手段１５と第２の被案内手段の双方が第２の軌道部３１上にあり、直線状の当該第２の軌道部３１と移動扉３の位置が平面視において略重なった状態となって、移動扉３が定型パネルＷ１の背面側に収容された状態となる。これにより、移動扉３の開動作を終了する。
【００３１】
前記開いた移動扉３を閉じる場合には、前述した行程を逆の順序で行うことになる。すなわち、図４（ｅ）に示した状態から移動扉３を右側に引き出し、以下図４（ｄ）、図４（ｃ）、図４（ｂ）の位置まで移動扉３を移動させる。そして、移動扉３の右側（取手３４および取手３４付近）を矢示（Close）方向に押すことで、移動扉３を図４（ａ）に示すように隣り合う定型パネルＷ１と同一面となる位置に配置させることができるようになっている。
【００３２】
なお、前述した通り、以上の説明は２枚の移動扉３、移動扉４のうち、その一方である移動扉３について説明したものであるが、移動扉４は移動扉３と左右対称に形成されており、基本的な構造や作用は移動扉３と基本的に同一である。
また、図には移動扉３と移動扉４を閉じた位置で召しあわせるように構成した２枚扉の引き戸を示している。しかしながら、移動扉３一枚で開閉する扉装置を構成しても差し支えのないものである。
【００３３】
以上説明した本実施の形態にかかる扉装置は、移動する扉を扉が閉じている状態において隣り合う壁面と同一面を成すように設けることができる。従来ある単純な引き戸の場合には、移動する扉を隣り合う壁面よりも奥側に向かって下扉の肉厚分の長さだけ下げた位置に配置しなければならず、表面に段差ができてしまう。本実施の形態にかかる扉装置は、このような表面に段差を生じることがない引き戸式の扉装置を提供できるようになっている。
【産業上の利用可能性】
【００３４】
本発明に係る扉装置は、引き戸式の扉装置に利用可能である。
【図１】
2014227670.tif 000003
【図２】
2014227670.tif 000004
【図３】
2014227670.tif 000005
【図４】
2014227670.tif 000006